(57)【特許請求の範囲】
【請求項１】
温室の被覆材であるプラスチックフィルムを固定するための止め材であって、
各上端縁間に所定の間隔を有すると共に、各上端縁の下部に該上端縁間の間隔よりも対向間隔が広くなるテーパ部位を有するように対向して形成された２つの側板部を有するベース部材と、
該側板部間に挿入される挿入部を有すると共に、該挿入部の一方の側部に、ベース部材の底板部に対して直交する方向に引き上げられた場合に一方の側板部内面に係合し、かつ一方向に傾斜させて引き上げようとしても該一方の側板部内面に係合して傾斜を規制する第１の係合部を有し、該挿入部の他方の側部に、ベース部材の底板部に対して直交する方向に引き上げられた場合に他方の側板部内面に係合するが、他方向に傾斜させて引き上げようとする場合には他方の側板部内面に係合しない第２の係合部を有する押さえ部材と、を有し、
前記プラスチックフィルムをベース部材と押さえ部材との間に挟持して固定する温室用プラスチックフィルムの止め材。
【請求項２】
前記ベース部材と押さえ部材が金属材料からなる請求項１記載の温室用プラスチックフィルムの止め材。
【請求項３】
前記ベース部材の底板部の上面に突条部が形成されていると共に、前記押さえ部材を前記他方向に傾斜させて引き上げようとする場合に、該突条部に引っかかる突起部が、該押さえ部材の挿入部の外面に設けられている請求項１又は２記載の温室用プラスチックフィルムの止め材。
【請求項４】
前記押さえ部材の挿入部のいずれかの係合部に、該挿入部をベース部材の側板部間に挿入した際、側板部間から外方に突出すると共に、内方に屈曲された屈曲部を有する突出片を備えた請求項１〜３のいずれか１に記載の温室用プラスチックフィルムの止め材。
【請求項５】
請求項１〜４のいずれか１に２記載の温室用プラスチックフィルムの止め材を用いたプラスチックフィルムの張設方法であって、
一端縁付近が適所に固定されたプラスチックフィルムに隣接して配置される他のプラスチックフィルムを重ね合わせ、重ね合わせた各他端縁付近をベース部材上に位置させた後、押さえ部材の挿入部を、第２の係合部側が、該各プラスチックフィルムの他端縁側に位置するようにしてベース部材の側板部間に挿入し、該２枚のプラスチックフィルムの他端縁付近を一緒に固定する工程、該挿入部の第１の係合部とベース部材との間から引き出されている他のプラスチックフィルムをベース部材の側板部上端縁間の間隔を跨ぐように折り返し、その一端縁付近を適所に固定する工程、を有することを特徴とする温室用プラスチックフィルムの張設方法。
【請求項６】
温室の被覆材であるプラスチックフィルムを固定するための止め材であって、
各上端縁間に所定の間隔を有すると共に、各上端縁の下部に該上端縁間の間隔よりも対向間隔が広くなるテーパ部位を有するように対向して形成された２つの側板部を有するベース部材と、
該側板部間に挿入される挿入部を有すると共に、該挿入部の一方の側部に、ベース部材の底板部に対して直交する方向に引き上げられた場合に一方の側板部内面に係合し、かつ一方向に傾斜させて引き上げようとしても該一方の側板部内面に係合して傾斜を規制する第１の係合部を有し、該挿入部の他方の側部に、ベース部材の底板部に対して直交する方向に引き上げられた場合に他方の側板部内面に係合するが、他方向に傾斜させて引き上げようとする場合には他方の側板部内面に係合しない第２の係合部を有し、さらに挿入部の反対面側に形成された凹部を有する第１の押さえ部材と、
該第１の押さえ部材の凹部内に挿入される挿入部を有すると共に、該挿入部における前記第１の押さえ部材の第２の係合部と同側部に、前記他方向と同方向にに傾斜させて引き上げようとする場合に凹部の内面に係合する第１の係合部を、第１の押さえ部材の第１の係合部と同側部に、前記一方向と同方向に傾斜させて引き上げようとする場合には凹部の内面に係合しない第２の係合部を有する第２の押さえ部材と、を有し、
一のプラスチックフィルムをベース部材と第１の押さえ部材との間に、他のプラスチックフィルムを第１の押さえ部材と第２の押さえ部材との間に挟持して固定する温室用プラスチックフィルムの止め材。
【請求項７】
前記ベース部材、第１の押さえ部材及び第２の押さえ部材が金属材料からなる請求項６記載の温室用プラスチックフィルムの止め材。
【請求項８】
前記ベース部材の底板部の上面に突条部が形成されていると共に、前記第１の押さえ部材を前記他方向に傾斜させて引き上げようとする場合に、該突条部に引っかかる突起部が、該第１の押さえ部材の挿入部の外面に設けられている請求項６又は７記載の温室用プラスチックフィルムの止め材。
【請求項９】
前記第１の押さえ部材の挿入部のいずれかの係合部に、該挿入部をベース部材の側板部間に挿入した際、側板部間から外方に突出すると共に、内方に屈曲された屈曲部を有する突出片を備えており、前記第２の押さえ部材の挿入部における第１の押さえ部材に形成した突出片と対向する側の係合部に、内方に屈曲された屈曲部を有する突出片を備えている請求項６〜８のいずれか１に記載の温室用プラスチックフィルムの止め材。
【請求項１０】
請求項６〜９のいずれか１に記載の温室用プラスチックフィルムの止め材を用いたプラスチックフィルムの張設方法であって、
一端縁付近が適所に固定された一のプラスチックフィルムの他端縁付近をベース部材上に位置させた後、第１の押さえ部材の挿入部を、第２の係合部側が、該各プラスチックフィルムの他端縁側に位置するようにしてベース部材の側板部間に挿入する工程、他のプラスチックフィルムの一端縁付近を第１の押さえ部材の凹部上に位置させた後、第２の押さえ部材の挿入部を、その第１の係合部側が他のプラスチックフィルムの一端縁と反対側に位置するように該凹部に挿入する工程、他のプラスチックフィルムの他端縁付近を適所に固定する工程、を有することを特徴とする温室用プラスチックフィルムの張設方法。
【発明の詳細な説明】
【０００１】
【発明の属する技術分野】
本発明は、温室の被覆材であるプラスチックフィルムを張設するための止め材に関する。
【０００２】
【従来の技術】
温室の被覆材であるプラスチックフィルムを張設するに当たっては、従来、図１１に示すような止め材１００が用いられている。すなわち、所定の長さを有し、底板部１１１と、該底板部１１１の両側縁から、底板部１１１とのなす角が鋭角となるような関係をもってかつ上端縁１１２ａ，１１３ａ間に間隔が生じるように立ち上げられた２つの側板部１１２，１１３とを有するベース部材（ベース金具）１１０と、該ベース金具１１０内に装填されるフィルム押さえ用スプリング部材１２０とを有して構成されている。
【０００３】
ベース金具１１０は、例えば、温室の天井面に幅方向に沿って、上端縁１１２ａ，１１３ａ間の開口部側を外側に向けて配設される。被覆材であるプラスチックフィルムＡ，Ｂは、まず一方のプラスチックフィルムＡの一端縁付近を天井面と妻面との境界部に固定し、他端縁付近をベース金具１１０の開口部上に位置させる。次に、他方のプラスチックフィルムＢの一端縁付近をベース金具１１０上で上部用のプラスチックフィルムＡの他端縁付近に重ね合わせる。かかる状態で山形に加工したスプリング部材１２０を２つのプラスチックフィルムＡ，Ｂの重なり合った部分を押さえ付けるようにベース金具１１０の開口部から挿入する。その結果、該スプリング部材１２０の各山の頂部がベース金具１１０の側板部１１２，１１３内面を押圧するため２つのプラスチックフィルムＡ，Ｂの端縁付近が固定される。
【０００４】
【発明が解決しようとする課題】
しかしながら、上記した止め材１００は次のような問題がある。まず、スプリング部材１２０は、プラスチックフィルムＡ，Ｂに対して、各山の頂部だけで接触しているため、擦れによりフィルム面が摩耗し、破れやすいという問題がある。特に、近年は耐候性に優れ、燃やしても有害ガスを発生せず廃棄処理が容易なことからビニルフィルムではなく、ポリオレフィン系のプラスチックフィルムが普及しているが、このポリオレフィン系のプラスチックフィルムは、ビニルフィルムと比較して特に擦れに弱いという問題がある。
【０００５】
このようなことから、ポリオレフィン系のプラスチックフィルムを使用する場合には、上記したようにプラスチックフィルムＡ，Ｂの各端縁付近を一つのベース金具１１０に固定するのではなく、ベース金具を左右に２本併設して右側に配置されたものに一方のプラスチックフィルムＡの他端縁付近を、左側に配置されたものに他方のプラスチックフィルムＢの一端縁付近をそれぞれスプリング部材により固定することが行われている。この方法によれば、２枚のプラスチックフィルムＡ，Ｂを重ねてベース金具１１０に固定する場合と比較して、弾性力の弱いスプリング部材を用いることができ、擦れによる損傷を軽減することができる。しかしながら、この場合には、２枚のプラスチックフィルムＡ，Ｂのいずれか一方の端縁を固定するために２本のベース金具を用いる必要があり、その幅分、温室内に影が多く生じるという問題がある。
【０００６】
本発明は上記事情に鑑みなされたものであり、隣接するプラスチックフィルムの端縁付近をまとめて１本のベース部材に固定することができると共に、擦れによるフィルム面の局部的な摩耗による破れの発生を少なくすることができる温室用プラスチックフィルムの止め材を提供することを目的とする。
【０００７】
【課題を解決するための手段】
上記した課題を達成するため、請求項１では、温室の被覆材であるプラスチックフィルムを固定するための止め材であって、
各上端縁間に所定の間隔を有すると共に、各上端縁の下部に該上端縁間の間隔よりも対向間隔が広くなるテーパ部位を有するように対向して形成された２つの側板部を有するベース部材と、
該側板部間に挿入される挿入部を有すると共に、該挿入部の一方の側部に、ベース部材の底板部に対して直交する方向に引き上げられた場合に一方の側板部内面に係合し、かつ一方向に傾斜させて引き上げようとしても該一方の側板部内面に係合して傾斜を規制する第１の係合部を有し、該挿入部の他方の側部に、ベース部材の底板部に対して直交する方向に引き上げられた場合に他方の側板部内面に係合するが、他方向に傾斜させて引き上げようとする場合には他方の側板部内面に係合しない第２の係合部を有する押さえ部材と、を有し、
前記プラスチックフィルムをベース部材と押さえ部材との間に挟持して固定する温室用プラスチックフィルムの止め材を提供する。
請求項２では、前記ベース部材と押さえ部材が金属材料からなる請求項１記載の温室用プラスチックフィルムの止め材を提供する。
請求項３では、前記ベース部材の底板部の上面に突条部が形成されていると共に、前記押さえ部材を前記他方向に傾斜させて引き上げようとする場合に、該突条部に引っかかる突起部が、該押さえ部材の挿入部の外面に設けられている請求項１又は２記載の温室用プラスチックフィルムの止め材を提供する。
請求項４では、前記押さえ部材の挿入部のいずれかの係合部に、該挿入部をベース部材の側板部間に挿入した際、側板部間から外方に突出すると共に、内方に屈曲された屈曲部を有する突出片を備えた請求項１〜３のいずれか１に記載の温室用プラスチックフィルムの止め材を提供する。
【０００８】
請求項５では、請求項１〜４のいずれか１に２記載の温室用プラスチックフィルムの止め材を用いたプラスチックフィルムの張設方法であって、
一端縁付近が適所に固定されたプラスチックフィルムに隣接して配置される他のプラスチックフィルムを重ね合わせ、重ね合わせた各他端縁付近をベース部材上に位置させた後、押さえ部材の挿入部を、第２の係合部側が、該各プラスチックフィルムの他端縁側に位置するようにしてベース部材の側板部間に挿入し、該２枚のプラスチックフィルムの他端縁付近を一緒に固定する工程、該挿入部の第１の係合部とベース部材との間から引き出されている他のプラスチックフィルムをベース部材の側板部上端縁間の間隔を跨ぐように折り返し、その一端縁付近を適所に固定する工程、を有することを特徴とする温室用プラスチックフィルムの張設方法を提供する。
【０００９】
請求項６では、温室の被覆材であるプラスチックフィルムを固定するための止め材であって、
各上端縁間に所定の間隔を有すると共に、各上端縁の下部に該上端縁間の間隔よりも対向間隔が広くなるテーパ部位を有するように対向して形成された２つの側板部を有するベース部材と、
該側板部間に挿入される挿入部を有すると共に、該挿入部の一方の側部に、ベース部材の底板部に対して直交する方向に引き上げられた場合に一方の側板部内面に係合し、かつ一方向に傾斜させて引き上げようとしても該一方の側板部内面に係合して傾斜を規制する第１の係合部を有し、該挿入部の他方の側部に、ベース部材の底板部に対して直交する方向に引き上げられた場合に他方の側板部内面に係合するが、他方向に傾斜させて引き上げようとする場合には他方の側板部内面に係合しない第２の係合部を有し、さらに挿入部の反対面側に形成された凹部を有する第１の押さえ部材と、
該第１の押さえ部材の凹部内に挿入される挿入部を有すると共に、該挿入部における前記第１の押さえ部材の第２の係合部と同側部に、前記他方向と同方向にに傾斜させて引き上げようとする場合に凹部の内面に係合する第１の係合部を、第１の押さえ部材の第１の係合部と同側部に、前記一方向と同方向に傾斜させて引き上げようとする場合には凹部の内面に係合しない第２の係合部を有する第２の押さえ部材と、を有し、
一のプラスチックフィルムをベース部材と第１の押さえ部材との間に、他のプラスチックフィルムを第１の押さえ部材と第２の押さえ部材との間に挟持して固定する温室用プラスチックフィルムの止め材を提供する。
請求項７では、前記ベース部材、第１の押さえ部材及び第２の押さえ部材が金属材料からなる請求項６記載の温室用プラスチックフィルムの止め材を提供する。
請求項８では、前記ベース部材の底板部の上面に突条部が形成されていると共に、前記第１の押さえ部材を前記他方向に傾斜させて引き上げようとする場合に、該突条部に引っかかる突起部が、該第１の押さえ部材の挿入部の外面に設けられている請求項６又は７記載の温室用プラスチックフィルムの止め材を提供する。
請求項９では、前記第１の押さえ部材の挿入部のいずれかの係合部に、該挿入部をベース部材の側板部間に挿入した際、側板部間から外方に突出すると共に、内方に屈曲された屈曲部を有する突出片を備えており、前記第２の押さえ部材の挿入部における第１の押さえ部材に形成した突出片と対向する側の係合部に、内方に屈曲された屈曲部を有する突出片を備えている請求項６〜８のいずれか１に記載の温室用プラスチックフィルムの止め材を提供する。
【００１０】
請求項１０では、請求項６〜９のいずれか１に記載の温室用プラスチックフィルムの止め材を用いたプラスチックフィルムの張設方法であって、
一端縁付近が適所に固定された一のプラスチックフィルムの他端縁付近をベース部材上に位置させた後、第１の押さえ部材の挿入部を、第２の係合部側が、該各プラスチックフィルムの他端縁側に位置するようにしてベース部材の側板部間に挿入する工程、他のプラスチックフィルムの一端縁付近を第１の押さえ部材の凹部上に位置させた後、第２の押さえ部材の挿入部を、その第１の係合部側が他のプラスチックフィルムの一端縁と反対側に位置するように該凹部に挿入する工程、他のプラスチックフィルムの他端縁付近を適所に固定する工程、を有することを特徴とする温室用プラスチックフィルムの張設方法を提供する。
【００１１】
【発明の実施の形態】
以下、図面に示した実施の形態に基づき本発明をさらに詳細に説明する。図１及び図２は、本発明の第１の実施の形態にかかる温室用プラスチックフィルムの止め材１を示す図であり、ベース部材２と押さえ部材３を有して構成されている。
【００１２】
ベース部材２は、所定の長さを有し、底板部２１、該底板部２１の各側縁から該底板部２１となす内角が鋭角となるように立ち上げられた側板部２２，２３を有している。この側板部２２，２３は、さらに、上端縁２２ａ，２３ａ間に所定の間隔を保持するように立ち上げられている。すなわち、ベース部材２は、断面でみると底板部２１を底辺とする略三角形をなしているが、頂部付近が切り取られているような形状である。また、本実施の形態では、底板部２１の上面に、幅方向に所定間隔をおいて長手方向に沿って２つの突条部２１ａ，２１ｂが形成されている。さらに、側板部２２，２３の上端縁２２ａ，２３ａも、長手方向に沿って膨出するように形成されている。なお、突条部２１ａ，２１ｂ及び上端縁２２ａ，２３ａのいずれもプラスチックフィルムを損傷しないよう先端面は丸く加工されている。また、ベース部材２は、側板部２２，２３の上端縁２２ａ，２３ａ間の対向間隔よりも、該上端縁２２ａ，２３ａの下部に裾広がりのテーパ部位が形成され、該テーパ部位間の対向間隔が上端縁２２ａ，２３ａ間の対向間隔より広ければよく、本実施の形態のように、必ずしも側板部２２，２３の全体がテーパ状である必要はない。
【００１３】
押さえ部材３は、ベース部材２とほぼ同じ長さを有し、断面略半円形の挿入部３１と、該挿入部３１のいずれかの上端縁から一旦内方に屈曲させた後外方に伸びる突出片３２とを有して構成されている。挿入部３１は、ベース部材２の底板部２１と２つの側板部２２，２３との間に囲まれた空間内に収容される程度の大きさで形成され、その頂部３１ｃがベース部材２の２つの突条部２１ａ，２１ｂ間に位置するように、かつ突出片３２が側板部２２，２３の上端縁２２ａ，２３ａのいずれか一方を乗り越えるように配設される。
【００１４】
挿入部３１のうち、突出片３２が連設されていない側の上端縁は第１の係合部３１ａとして機能し、一旦内方に屈曲して突出片３２が連設されている他方の上端縁は第２の係合部３１ｂとして機能する。また、第１の係合部３１ａと第２の係合部３１ｂとの外面間の間隔は、ベース部材２の側板部２２，２３の上端縁２２ａ，２３ａ間の間隔よりも僅かに広くなるように形成されている。その結果、底板部２１に対して直交する方向に真っ直ぐ引き上げた場合には第１の係合部３１ａと第２の係合部３１ｂが、それぞれ２つの側板部２２，２３の内面に当接して係合する。その一方、突出片３２が浮き上がるように傾斜させて引き上げた場合には、他方の側板部２３の内面に第２の係合部３１ｂが係合せずに上端縁２２ａ，２３ａの間隙から抜け出ることができるが、これと逆方向に傾斜させようとすると、突出片３２が他方の側板部２３の上端縁に接触してその動きが規制され、第１の係合部３１ａは、一方の側板部２２の内面に当接して係合する。
【００１５】
本実施の形態によれば、プラスチックフィルムは次のように張設される。温室の天井面に２枚のプラスチックフィルムＡ，Ｂを張設する場合を例にとり説明する。まず、予め、ベース部材２を温室天井面の適所に幅方向に沿って配設する。一方のプラスチックフィルムＡの一端縁付近を温室の天井面と妻面との境界部に固定する。次に、他方のプラスチックフィルムＢをこの一方のプラスチックフィルムＡに重ねるように作業者が保持し、２つのフィルムの他端縁付近をベース部材２の側板部２２，２３間の開口部上に位置させる。次に、押さえ部材３の挿入部３１を、第２の係合部３１ｂがフィルムの他端縁側に位置するようにして、かつ、各フィルムの他端縁が第２の係合部３１ｂとベース部材２の他方の側板部２３から多少はみ出るようにして、ベース部材２の側板部２２，２３間に挿入する。このとき、ベース部材２の底板部２１には、２つの突条部２１ａ，２１ｂが形成されているため、断面略半円状の挿入部３１の外周面がプラスチックフィルムＡ，Ｂを介してこの２つの突条部２１ａ，２１ｂに当接し、所定位置に位置決めされる。次に、ベース部材２の一方の側板部２２と押さえ部材３の第１の係合部３１ｂから引き出されている他方のプラスチックフィルムＢを折り返し、ベース部材２の側板部２２，２３上端縁間の間隔を跨ぐようにして図上左側に引っ張る。最後に、他方のプラスチックフィルムＢの一端縁付近を図２に示した止め具１と所定間隔をおいて配設される別の止め具（図示せず）に、さらに別のプラスチックフィルム（図示せず）の端縁と共に、上記と同様にして固定する。天井面形成用のプラスチックフィルムを張設する場合は、このような作業を温室の他方の妻面に至るまで繰り返し、複数枚のプラスチックフィルムを張設する。
【００１６】
この結果、張設したプラスチックフィルムＡ，Ｂに風等によりばたつきが生じて各プラスチックフィルムＡ，Ｂに図２の矢印方向に張力が加わった場合、ベース部材２と押さえ部材３の第２の係合部３１ｃからはみ出ている部分の面積が小さいため、押さえ部材３の第１の係合部３１ｂ側がベース部材２の底板部２１から傾斜して引き上げられるような力が大きく作用する。しかしながら、この際、押さえ部材３の第１の係合部３１ｂはベース部材２の一方の側板部２２の内面に係合するため、押さえ部材３がベース部材２から離脱することなく、いずれのプラスチックフィルムＡ，Ｂもベース部材２と押さえ部材３とにより挟持された状態が維持される。
【００１７】
また、各プラスチックフィルムＡ，Ｂに対して、押さえ部材３の第１の係合部３１ｂが点接触でなく、線状（面）で接触する。従って、従来の山形に加工したスプリング部材を用いた場合と比較して、プラスチックフィルムＡ，Ｂが部分的に摩耗して破れを生じることが少なくなり、被覆材としてポリオレフィン系のフィルムを採用する場合に好適である。
【００１８】
なお、張設したプラスチックフィルムＡ，Ｂを取り外す際には、一方のプラスチックフィルムＡの一端縁及び他方のプラスチックフィルムＢの一端縁は固定したまま、ベース部材２の他方の側板部２３と押さえ部材３の第２の係合部３１ｂとからはみ出している部分を引き上げれば、押さえ部材３の突出片３２がその下面から押圧され、第２の係合部３１ｂ側が引き上げられる。このように傾斜して引き上げられた場合には、第２の係合部３１ｂが他方の側板部２３の内面に接触したとしても係合しないため、ベース部材２内から挿入部３１が容易に離脱される。これにより、プラスチックフィルムＡ，Ｂの各他端縁の固定が解除される。
【００１９】
次に、図３及び図４に示した本発明の第２の実施の形態について説明する。本実施の形態では、上記第１の実施の形態と全く同じ形状のベース部材２と、第１の実施の形態と全く同じ形状の押さえ部材である第１の押さえ部材３のほか、さらに、第２の押さえ部材４を用いている。
【００２０】
第２の押さえ部材４は、第１の押さえ部材３の挿入部３１を上記したように断面略半円形とすることにより反対面に形成される凹部３５内に収まる程度の大きさの断面略円弧状の挿入部４１を有している。そして、該挿入部４１の一方の上端縁が第１の係合部４１ａとして機能し、他方の上端縁が第２の係合部４１ｂとして機能する。なお、第１の係合部４１ａと第２の係合部４１ｂの外面間の間隔は、後述のようにして第１の押さえ部材３の凹部３５内に挿入した際、ベース部材２の底板部２１に直交する方向に真っ直ぐ引き上げた場合に、第１の係合部４１ａと第２の係合部４１ｂが、凹部３５の内面に相当する第１の押さえ部材３の第１の係合部３１ａと第２の係合部３１ｂの各内面に当接して係合するが、傾斜して引き上げられた場合には、該凹部３５内から離脱できる程度の間隔で形成されている。また、挿入部４１の他方の上端縁である第２の係合部４１ｂには、一旦内方に屈曲した後、斜め上方に立ち上がり、その後、略水平に外側に屈曲されている突出片４２が連設されている。
【００２１】
第２の押さえ部材４は、プラスチックフィルムを介して、その第１の係合部４１ａが、第１の押さえ部材３の凹部３５内で該第１の押さえ部材３の第２の係合部３１ｂと同側部に位置するように、かつ、突出片４２の水平部分が、第１の押さえ部材３における第１の係合部３１ａ側に位置してベース部材２の一方の側板部２２の上端縁を乗り越えるように配設される（図４参照）。この結果、第１の係合部４１ａが押し上げられる方向に傾斜した場合には、第１の係合部４１ａが、凹部３５の内面、具体的には第１の押さえ部材３における第２の係合部３１ｂの内面にプラスチックフィルムを介して当接して係合する。逆方向、すなわち、第２の係合部４１ｂが押し上げられる方向に傾斜した場合には、突出片４２の傾斜範囲が規制されないため、第２の係合部４１ｂは、第１の押さえ部材３の凹部３５内面にプラスチックフィルムを介して接触しつつも係合せずに、凹部３５内から離脱する。
【００２２】
本実施の形態の止め材によれば、まず、上記した実施の形態と同様に、温室の天井面にベース部材２を幅方向に沿って配設する。次に、一方のプラスチックフィルムＡの一端縁付近を温室の天井面と妻面との境界部に固定し、他端縁付近をベース部材２の側板部２２，２３の開口部上に位置させる。次に、第１の押さえ部材３の第２の係合部３１ｂ及び突出片３２が、該一方のプラスチックフィルムＡの他端縁側となるように位置させて、底板部２１と側板部２２，２３とにより形成される空間に挿入部３１を挿入する。このとき、第１の押さえ部材３の第２の係合部３１ｂとベース部材２の他方の側板部２３との間からはみ出ている部分は、風等の影響を受けないよう、その部分の面積はできるだけ小さくするように留意する。この結果、該一方のプラスチックフィルムＡがばたついた場合、第１の押さえ部材３の第１の係合部３１ａ側が押し上げられるような力（図４の右向きの矢印方向の力）が作用するが、第１の係合部３１ａは、ベース部材２の一方の側板部２２に当接して係合するため、該一方のプラスチックフィルムＡの固定は解除されない。
【００２３】
次に、他方のプラスチックフィルムＢの一端縁付近を第１の押さえ部材３における凹部３５上に位置させる。そして、第２の押さえ部材４の第１の係合部４１ａが第１の押さえ部材３における第２の係合部３１ｂ側に位置するようにして、他方のプラスチックフィルムＢの一端縁付近を押さえつけるように、該凹部３５内に挿入する。なお、このとき、第２の押さえ部材４の第２の係合部４１ｂと凹部３５との隙間からはみ出る部分の面積ができるだけ小さくなるように留意する。他方のプラスチックフィルムＢの他端縁は、温室天井面に上記止め材と平行に配設される別の止め材（図示せず）に、さらに別のプラスチックフィルム（図示せず）の一端縁付近と共に固定する。この結果、他方のプラスチックフィルムＢが風等によりばたついた場合、第２の押さえ部材４の第１の係合部４１ａ側が押し上げられるような力（図４の左向きの矢印方向の力）が作用するが、該第１の係合部４１ａは凹部３５の内面である第１の押さえ部材３における第２の係合部３１ｂの内面に当接して係合するため、該他方のプラスチックフィルムＢの挟持状態が保持される。
【００２４】
張設した２枚のプラスチックフィルムＡ，Ｂを取り外す際は、一方のプラスチックフィルムＡの場合には、第１の押さえ部材３の第２の係合部３１ｂとベース部材２の他方の側板部２３とからはみ出た部分、他方のプラスチックフィルムＢの場合には、第２の押さえ部材４の第２の係合部４１ｂと第１の押さえ部材３の凹部３５からはみ出た部分を作業者が引き上げればよい。
【００２５】
図５及び図６は、本発明の第３の実施の形態にかかる温室用プラスチックフィルムの止め材１を示す図であり、ベース部材２に対し、押さえ部材として、第１の押さえ部材３及び第２の押さえ部材４を用いている点は上記第２の実施の形態と同様である。
【００２６】
但し、第１の押さえ部材３の挿入部３１の外面には突起部３１ｄが設けられている。第１の押さえ部材３に対し、第２の係合部３１ｂ側が押し上げられるような力（図５の左向きの矢印方向の力）が作用した場合には、上記各実施の形態では第２の係合部３１ｂがベース部材２の他方の側板部２３に係合しないため、外れ易く構成されている。もちろん、プラスチックフィルムＡ，Ｂをきちんと張設している限り、上記各実施の形態で説明したように通常は問題ないが、何らかの要因でフィルムのテンションが緩むこともあり得る。そこで、本実施の形態では、このような事態にも対処するために、フィルムのテンションが緩んで容易に外れてしまうことがないよう、念のために突起部３１ｄを形成したものである。従って、この突起部３１ｄは、第１の押さえ部材３に対し、第２の係合部３１ｂ側が押し上げられるような力が作用した場合にベース部材２のいずれかの部位に引っかかるように設ける必要がある。本実施の形態では、このような力が作用した場合にベース部材２の一方の突条部２１ａに当接する位置に突起部３１ｄを形成しているが、これに限定されるものではない。例えば、他方の突条部２１ｂに当接し得る位置に形成してもよい。なお、このような突起部３１ｄを形成することが好ましいことは、上記した第１の実施の形態のように、押さえ部材３を一つだけ用いる場合でも同様である。
【００２７】
また、本実施の形態では、図５及び図６に示したように、第１の押さえ部材３の突出片３２を内方に屈曲した屈曲部３２ａを有する形状に形成し、第２の押さえ部材４の突出片４２を同じく内方に屈曲した屈曲部４２ａを有する形状に形成している。これにより、２つの屈曲部３２ａ，４２ａ同士が対向して設けられることになり、両者間に、ハウスバンド固定用の金具（バネ等）を挿入配置することもできる。
【００２８】
図７及び図８は、本発明の第４の実施の形態にかかる温室用プラスチックフィルムの止め材１’を示す図であり、ベース部材２’と押さえ部材３’を有して構成される。
【００２９】
ベース部材２’の形状は、上記第１の実施の形態とほぼ同様で、所定の長さを有し、底板部２１’と、両側縁から鋭角に立ち上げられ、上端縁２２’ａ，２３’ａ間に所定の間隔を有する側板部２２’，２３’を有して構成される。但し、第１の実施の形態と異なり、底板部２１’上には押さえ部材３’の位置決めのための突条部は形成されていない。
【００３０】
押さえ部材３’は、略円弧状の挿入部３１’と、この挿入部３１’の両側縁から下方に突出するように設けられた第１の係合部３１’ａと第２の係合部３１’ｂとを有して構成されている。第１の係合部３１’ａは、挿入部３１’の長手方向中心とベース部材２’の底板部２１’の長手方向中心とを略一致させたときに、先端が底板部２１’と一方の側板部２２’との境界付近に至るほど大きく外方に反るように突出し、第２の係合部３１’ｂは、ほぼ真っ直ぐ下方に延びた後、先端付近が僅かに外方に突出している。また、第１の係合部３１’ａと第２の係合部３１’ｂの最も外方に突出した部分間の間隔は、ベース部材２の底板部２１’に対して直交する方向に真っ直ぐ引き上げた場合には、第１の係合部３１’ａと第２の係合部３１’ｂのいずれもがベース部材２の側板部２２’，２３’の内面に係合する程度で形成される。また、挿入部３１’の各上端縁には、長手方向に沿って、かつ該各上端縁を中心として両側に突出する突出片３２’，３３’が形成されている。
【００３１】
従って、本実施の形態では、第１の実施の形態と同様、上記したベース部材２’の側板部２２’，２３’の上端縁２２’ａ，２３’ａ間上に、２枚のプラスチックフィルムＡ，Ｂの端縁付近を位置させ、押さえ部材３’の挿入部３１’によって該プラスチックフィルムＡ，Ｂを押さえ付けるように挿入する。プラスチックフィルムＡ，Ｂがばたつくことにより、第１の係合部３１’ａ側が引き上げられるような力（図８の矢印方向の力）が作用した場合には、第１の係合部３１’ａが一方の側板部２２’の内面にプラスチックフィルムを介して当接して係合するため、ベース部材２’から離脱せず、プラスチックフィルムＡ，Ｂを保持できる。一方、プラスチックフィルムＡ，Ｂの第２の係合部３１’ｂとベース部材２の他方の側板部２３’との間からはみ出している部分を引き上げた場合には、第２の係合部３１’ｂ側が浮き上がるように傾斜するが、第２の係合部３１’ｂは僅かに外方に突出しているだけであるため、他方の側板部２３’内面に係合せず、底板部２１’と側板部２２’，２３’とにより形成される空間から離脱する。
【００３２】
次に、図９及び図１０に示した本発明の第５の実施の形態について説明する。本実施の形態では、上記第４の実施の形態と全く同じ形状のベース部材２’と、第４の実施の形態と全く同じ形状の押さえ部材である第１の押さえ部材３’のほか、さらに、第２の押さえ部材４’を用いている。
【００３３】
この第２の押さえ部材４’は、上記した第２の実施の形態の押さえ部材４と全く同様の形状であり、第１の押さえ部材３’の挿入部３１’の反対面に形成される凹部３５’内に収まる程度の大きさの断面略円弧状の挿入部４１’を有している。
【００３４】
そして、第２の押さえ部材４’は、プラスチックフィルムを介して、その第１の係合部４１’ａが、第１の押さえ部材３’の凹部３５’内において、該第１の押さえ部材３’の第２の係合部３１’ｂと同側部に位置するように、かつ、突出片４２’の水平部分が第１の押さえ部材３’における第１の係合部３１’ａ側に位置して一方の突出片３２’の上方に位置するように配設される。この結果、第１の係合部４１’ａが押し上げられる方向に傾斜しても、突出片４２’の水平部分が第１の押さえ部材３’の一方の突出片３２’の上面に当接して、傾斜範囲が規制されるため、第１の係合部４１’ａは、凹部３５’の内面にプラスチックフィルムＢを介して当接して係合する。逆方向、すなわち、第２の係合部４１’ｂが押し上げられる方向に傾斜した場合には、突出片４２’の傾斜範囲が規制されないため、第２の係合部４１’ｂは、第１の押さえ部材３’の凹部３５’内面にプラスチックフィルムＢを介して接触しつつも係合せずに、凹部３５’内から離脱する。
【００３５】
従って、本実施の形態の止め材は、上記した第２の実施の形態と全く同様の方法でプラスチックフィルムを張設することができる。
【００３６】
ここで、上記した各実施の形態にかかる止め材を構成するベース部材２，２’、押さえ部材３，３’，４，４’は、硬質樹脂により成形することも可能であるが、強度の点から、いずれもアルミ板等の金属材料から構成することが好ましい。
【００３７】
また、上記した説明では、温室の天井面を形成する複数枚のプラスチックフィルムを張設する場合を説明しているが、側面を形成する複数枚のプラスチックフィルムの止め材として用いることもできることはもちろんである。なお、側面を形成するプラスチックフィルムを張設する場合は、例えば、上部用と下部用の２枚のプラスチックフィルムを用意し、止め材を側面略中央に水平に配置して張設するが、雨水の浸入を防ぐため、該止め材に固定される上部用プラスチックフィルムと下部用プラスチックフィルムの重なり部分においては、上部用プラスチックフィルムが外側に位置するよう張設することが好ましい。
【００３８】
【発明の効果】
本発明の温室用プラスチックフィルムの止め材によれば、プラスチックフィルムに対し、押さえ部材及びベース部材が、点ではなく線状（面）で接触しているため、フィルムの擦れによる破損を従来の止め材と比較して少なくすることができる。従って、擦れ摩擦に弱いポリオレフィン系のプラスチックフィルムの止め材として適する。また、隣接する２枚のプラスチックフィルムの一方の端縁付近を１つの止め材で固定できるため、止め材を併設する必要がない。
【図面の簡単な説明】
【図１】図１は、本発明の第１の実施の形態にかかる止め材を示す斜視図である。
【図２】図２は、同実施の形態にかかる止め材を用いたプラスチックフィルムの張設方法を説明するための斜視図である。
【図３】図３は、本発明の第２の実施の形態にかかる止め材を示す斜視図である。
【図４】図４は、同実施の形態にかかる止め材を用いたプラスチックフィルムの張設方法を説明するための斜視図である。
【図５】図５は、本発明の第３の実施の形態にかかる止め材を示す斜視図である。
【図６】図６は、同実施の形態にかかる止め材を示す正面図である。
【図７】図７は、本発明の第４の実施の形態にかかる止め材を示す斜視図である。
【図８】図８は、同実施の形態にかかる止め材を用いたプラスチックフィルムの張設方法を説明するための斜視図である。
【図９】図９は、本発明の第５の実施の形態にかかる止め材を示す斜視図である。
【図１０】図１０は、同実施の形態にかかる止め材を用いたプラスチックフィルムの張設方法を説明するための斜視図である。
【図１１】従来の止め材を用いたプラスチックフィルムの張設方法を説明するための斜視図である。
【符号の説明】
１  止め材
１’止め材
２  ベース部材
２’ベース部材
３  押さえ部材
３’押さえ部材
４  第２の押さえ部材
４’第２の押さえ部材
【図１】
0003814075.tif 000002
【図２】
0003814075.tif 000003
【図３】
0003814075.tif 000004
【図４】
0003814075.tif 000005
【図５】
0003814075.tif 000006
【図６】
0003814075.tif 000007
【図７】
0003814075.tif 000008
【図８】
0003814075.tif 000009
【図９】
0003814075.tif 000010
【図１０】
0003814075.tif 000011
【図１１】
0003814075.tif 000012